(57)【要約】【課題】マシンルームレスエレベータにおいて円筒型巻き上げ機を用いる場合に、巻き上げ機の据え付け作業が容易な構成とする。【解決手段】エレベータ装置は、昇降路１０内でロープ１３に吊り下げられて昇降する乗りかご１１と、昇降路１０内でロープ１３に吊り下げられて乗りかご１１と反対向きに昇降する釣合い重り１２と、昇降路１０内で乗りかご１１が停止する複数の床レベルのいずれか一つの床レベル近傍に配置されてロープ１３を駆動する円筒型巻き上げ機１７と、昇降路１０内の天井付近に配置され、ロープ１３を掛けられるそらせシーブ２６、２７、２８と、を有する。【選択図】図２
2011162309.tif 000002
【特許請求の範囲】
【請求項１】
昇降路内でロープに吊り下げられて昇降する乗りかごと、
前記昇降路内で前記ロープに吊り下げられて前記乗りかごと反対向きに昇降する釣合い重りと、
前記昇降路内で前記乗りかごが停止する複数の床レベルのいずれか一つの床レベル近傍に配置され、共通の水平軸上に並んで配置されたトラクションシーブおよび電動機を備え、前記ロープを駆動する円筒型巻き上げ機と、
前記昇降路内の天井付近に配置され、前記ロープを掛けられる少なくとも１個のそらせシーブと、
を有するエレベータ装置。
【請求項２】
前記巻き上げ機の前記水平軸が前記乗りかごの側面に平行に配置されていることを特徴とする請求項１に記載のエレベータ装置。
【請求項３】
前記巻き上げ機は前記水平軸に平行に延びるマシンビームに固定され、このマシンビームは前記昇降路を形成する建物に直接固定されていることを特徴とする請求項１または請求項２に記載のエレベータ装置。
【発明の詳細な説明】
【技術分野】
【０００１】
この発明はエレベータ装置に関し、特に、マシンルームレスエレベータで円筒型巻き上げ機を使用するエレベータ装置に関する。
【背景技術】
【０００２】
近年のエレベータ装置では、省スペースのためにマシンルームをなくしたマシンルームレスエレベータが多くなっている。マシンルームレスエレベータにおいて、巻き上げ機として円筒型巻き上げ機を用いる場合に、円筒型巻き上げ機を昇降路頂部に配置するのが一般的である（特許文献１および２参照）。
【先行技術文献】
【特許文献】
【０００３】
【特許文献１】特開２００５−６７８１３号公報
【特許文献２】国際公開第２００２／０７９０６７号
【発明の概要】
【発明が解決しようとする課題】
【０００４】
マシンルームレスエレベータにおいて円筒型巻き上げ機を用いる場合に、エレベータの大容量化に伴い巻き上げ機の重量が増すため、その据え付け作業が困難になっている。場合によっては専用の特殊な揚重装置が必要である。
【０００５】
この発明は上記事情に鑑みてなされたものであって、マシンルームレスエレベータにおいて円筒型巻き上げ機を用いる場合に、巻き上げ機の据え付け作業が容易な構成とすることを目的とする。
【課題を解決するための手段】
【０００６】
上記目的を達成するために、本発明に係るエレベータ装置は、昇降路内でロープに吊り下げられて昇降する乗りかごと、前記昇降路内で前記ロープに吊り下げられて前記乗りかごと反対向きに昇降する釣合い重りと、前記昇降路内で前記乗りかごが停止する複数の床レベルのいずれか一つの床レベル近傍に配置され、共通の水平軸上に並んで配置されたトラクションシーブおよび電動機を備え、前記ロープを駆動する円筒型巻き上げ機と、前記昇降路内の天井付近に配置され、前記ロープを掛けられる少なくとも１個のそらせシーブと、を有する。
【発明の効果】
【０００７】
この発明によれば、マシンルームレスエレベータにおいて円筒型巻き上げ機を用いる場合に、巻き上げ機の据え付け作業が容易になる。
【図面の簡単な説明】
【０００８】
【図１】本発明に係るエレベータ装置の一実施形態を模式的に展開して示す立面図である。
【図２】図１のエレベータ装置を出入り口側から見た模式的立面図である。
【図３】図１のエレベータ装置の模式的平面図である。
【図４】図１のエレベータ装置の模式的斜視図である。
【発明を実施するための形態】
【０００９】
図面を参照して本発明に係るエレベータ装置の一実施形態について説明する。ここで、図１は本発明に係るエレベータ装置の一実施形態を模式的に展開して示す立面図、図２はこのエレベータ装置を出入り口側から見た模式的立面図、図３はこのエレベータ装置の模式的平面図である。また、図４はこのエレベータ装置の模式的斜視図である。
【００１０】
昇降路１０内で、乗りかご１１と釣合い重り１２がロープ１３によって吊り下げられ、互いに反対向きに昇降するように構成されている。図示の例では、釣合い重り１２は乗りかご１１の背後、すなわち出入口１４の反対側に配置されている。乗りかご１１の屋根部には２個のカーシーブ１５が取り付けられている。釣合い重り１２の上部には１個の釣合い重りシーブ１６が取り付けられている。
【００１１】
ロープ１３は巻き上げ機１７によって駆動される。このエレベータ装置はいわゆるマシンルームレスであって、巻き上げ機１７は昇降路１０内に配置され、機械室は設けられていない。巻き上げ機１７は、電動機１８と、電動機１８によって回転駆動されるトラクションシーブ１９と、ブレーキ２９とを備えている。この巻き上げ機１７は円筒型であって、電動機１８とトラクションシーブ１９とブレーキ２９が共通の水平軸に沿って並んで配置されている。巻き上げ機１７は、昇降路１０内で乗りかご１１の側面（乗り場から見て左側）に平行に水平方向に延びるマシンビーム２１の下側に、巻き上げ機１７の軸とマシンビーム２１の延びる方向が平行になるように固定されている。マシンビーム２１は、昇降路１０を形成する建物に直接固定され支持されている。この実施形態では、巻き上げ機１７は最下階の床２０の高さに設置されている。
【００１２】
なお、図では最上階の床２３と最下階の床２０が接近しているように見えるが、実際には大きな間隔があって、通常は最上階の床２３と最下階の床２０の間に複数の階の床が存在する。
【００１３】
ロープ１３は、たとえば公称直径８ｍｍまたはそれよりも細いもの複数本を平行に配置して用いる。通常はたとえば８本程度であるが、図１および図２では１本だけ、図３および図４では３本だけを示している。比較的細いロープ１３を用いることにより、小径のシーブを用いることが可能であり、トラクションシーブ１９の直径は、たとえば３２０ｍｍ以下とする。
【００１４】
ロープ１３の一端は、昇降路１０の天井近くの乗りかご側ロープヒッチ２４で固定されている。また、ロープ１３の他端は、昇降路１０の天井近くで釣合い重り１２の真上付近の釣合い重り側ロープヒッチ２５で固定されている。ただし、図３では、ロープヒッチ２４、２５の図示を省略している。
【００１５】
昇降路１０の天井近くに、第１のそらせシーブ２６、第２のそらせシーブ２７、第３のそらせシーブ２８が固定されている。乗りかご側ロープヒッチ２４から下方に延びたロープ１３は、二つのカーシーブ１５を経由して、第１のそらせシーブ２６に掛けられ、トラクションシーブ１９を経て第２および第３のそらせシーブ２７、２８に掛けられ、釣合い重りシーブ１６を経て釣合い重り側ロープヒッチ２５につながっている。
【００１６】
このように構成することにより、円筒型巻き上げ機１７を昇降路１０内で最下階の床２０のレベルと同程度の高さの乗りかご１１の横の狭い空間に配置して、乗りかご１１および釣合い重り１２を昇降させることができる。この場合に、巻き上げ機１７を最下階の床２０のレベルと同程度の高さに配置することにより、巻き上げ機１７の据え付け作業が容易である。また、巻き上げ機１７を昇降路１０の底部のピット３０内に据え付ける場合は冠水故障の可能性があるが、本実施形態によれば、冠水故障の可能性もほとんどない。
【００１７】
上記実施形態では巻き上げ機１７が最下階の床２０レベルと同程度の高さに配置されるものとしたが、他の実施形態として、他の階の床（たとえば最上階の床２３）のレベルと同程度の高さに配置されるものとしてもよい。この場合でも、従来のように巻き上げ機１７を昇降路１０の天井近くに据え付ける場合に比べて据え付け作業が容易である。
【符号の説明】
【００１８】
１０  昇降路
１１  乗りかご
１２  釣合い重り
１３  ロープ
１４  出入口
１５  カーシーブ
１６  釣合い重りシーブ
１７  巻き上げ機
１８  電動機
１９  トラクションシーブ
２０  最下階の床
２１  マシンビーム
２３  最上階の床
２４  乗りかご側ロープヒッチ
２５  釣合い重り側ロープヒッチ
２６  第１のそらせシーブ
２７  第２のそらせシーブ
２８  第３のそらせシーブ
２９  ブレーキ
３０  ピット
【図１】
2011162309.tif 000003
【図２】
2011162309.tif 000004
【図３】
2011162309.tif 000005
【図４】
2011162309.tif 000006